【手続補正書】
【提出日】平成21年10月5日(2009.10.5)
【手続補正１】
【補正対象書類名】明細書
【補正対象項目名】００１８
【補正方法】変更
【補正の内容】
【００１８】
このデジタルカメラ１０は、モード選択ダイヤル１８の操作によって、通常撮影モード、特殊連続撮影モード、及び撮影済みの画像を再生してＬＣＤパネル１５に表示する再生モードなどを切り替えて実行することができる。また、デジタルカメラ１０は、レリーズボタン１６及び電源ボタン１７による操作以外は、ＬＣＤパネル１５に表示された操作アイコンに対して、ユーザの指、又は付属する操作ペン（図示せず）を用いて、タッチパネル１９に触れることによって操作を行う。
【手続補正２】
【補正対象書類名】明細書
【補正対象項目名】００１９
【補正方法】変更
【補正の内容】
【００１９】
ストロボ１３は、通常撮影モード下でストロボ撮影を行うとき、及び後述する特殊連続撮影モード下でストロボ撮影を行うとき、レリーズに同期してストロボ光を被写体に向けて照射する。ストロボ発光量は、ストロボ光による露光量が適正となるように撮影距離、撮影感度、絞り値に応じて決定される。通常モード下では、被写体輝度が所定レベルより低いときには、ストロボ発光が行われ、被写体輝度が所定レベルより高いときには、ストロボ発光が行われない。なお、通常モード下ではストロボ発光の要否を手動で選択できるようにしてもよい。
【手続補正３】
【補正対象書類名】明細書
【補正対象項目名】００２１
【補正方法】変更
【補正の内容】
【００２１】
デジタルカメラ１０の構成を示す図３において、ＣＰＵ２１は、レリーズボタン１６、電源ボタン１７及びタッチパネル１９等から入力される各種の操作信号に応じて、Ｉ／Ｏバス２３を介してデジタルカメラ１０の本体各部を制御する。
【手続補正４】
【補正対象書類名】明細書
【補正対象項目名】００２４
【補正方法】変更
【補正の内容】
【００２４】
ズームレンズ１２の背後には、固体撮像素子としてＣＣＤ３５が配置されている。このＣＣＤ３５は、タイミングジェネレータ（ＴＧ）３６を介してＣＰＵ２１に接続されている。撮影モードにおいては、ＣＰＵ２１は、ＴＧ３６を制御してタイミング信号（クロックパルス）を発生させ、ＣＣＤ３５は、ＴＧ３６から入力されるタイミング信号によって駆動される。
【手続補正５】
【補正対象書類名】明細書
【補正対象項目名】００２５
【補正方法】変更
【補正の内容】
【００２５】
ズームレンズ１２により形成された光学画像がＣＣＤ３５の受光面に結像され、光電変換されてアナログの撮像信号が出力される。この撮像信号は、相関二重サンプリング回路（ＣＤＳ）３７に入力され、ＣＣＤ３５の各セルの蓄積電荷量に対応したＲ，Ｇ，Ｂの画像データとして出力される。ＣＤＳ３７から出力された画像データは、増幅器（ＡＭＰ）３８で増幅され、Ａ／Ｄ変換器（Ａ／Ｄ）３９によって、アナログ信号からデジタルな画像データに変換される。
【手続補正６】
【補正対象書類名】明細書
【補正対象項目名】００３０
【補正方法】変更
【補正の内容】
【００３０】
ＡＥ検出回路５３は、画像入力コントローラ４１から出力される撮像信号の輝度信号を積分演算し、得られた測光データとしての輝度積分値（被写体輝度値）を検出、また光源の種類の検出を行い、それらの被写体輝度値、光源情報などをＣＰＵ２１に送る。ＣＰＵ２１は、被写体輝度値に基づいて、適正となる絞り値、シャッタ速度、撮影感度、などの露出設定を決定する。本実施形態においては、特殊連続撮影モード下では、被写体輝度値に基づいて決定した同一の露出設定でノンフラッシュ撮影及びフラッシュ撮影を行う。なお、この露出設定としては、図４に示すプログラム線図６０がデータとしてフラッシュメモリ５５に格納されており、ＣＰＵ２１はこのプログラム線図６０を読み出し、被写体輝度値に基づいてシャッタ速度、絞り値を決定する。そしてＣＰＵ２１は決定された露出設定に応じた所定の絞り値が絞り２７にセットされるようにモータドライバ３２を介して絞り駆動機構２９を制御するとともに、所定の撮影感度をＣＤＳ３７，ＡＭＰ３８にセットし、さらに、所定のシャッタ速度となるようにＴＧ３６を制御してタイミング信号を発生させる。また、本実施形態では、ノンフラッシュ撮影及びフラッシュ撮影ともに撮影感度が常に一定となるようにＣＤＳ３７，ＡＭＰ３８を制御している。
【手続補正７】
【補正対象書類名】明細書
【補正対象項目名】００３８
【補正方法】変更
【補正の内容】
【００３８】
また、上記第１実施形態においては、特殊連続撮影後に、ノンフラッシュ撮影及びフラッシュ撮影のポストビュー画像（確認画像）を表示するときのタイミングは上記の例に限らず、例えば、特殊連続撮影が終了（最後のコマの画像データを取得）した直後から、各撮影の確認画像を所定の時間間隔で切り替えて表示するようにしてもよい。あるいは、図８に示すように、ＬＣＤパネル１５の画面内に切り替えボタン６３ａ，６３ｂを表示し、この切り替えボタン６３ａ，６３ｂをタッチパネル１９で操作すると、確認画像６４が切り替わるようにしてもよい。なお、操作手段としては、タッチパネル１９を用いたものに限らず、切り替え用の操作部材を別に設けるようにしてもよい。
【手続補正８】
【補正対象書類名】明細書
【補正対象項目名】００４２
【補正方法】変更
【補正の内容】
【００４２】
この第２実施形態を適用したデジタルカメラで特殊連続撮影を行うには、図１０のフローチャートに示すように、電源オン（ｓｔ１）から特殊連続撮影モード選択（ｓｔ２）の後、スルー画像が表示される（ｓｔ３）と、ユーザーはＬＣＤパネル１５の表示画像を観察してフレーミングし、レリーズボタン１６を半押しすると（ｓｔ４）、ＡＥ処理（ｓｔ５）及びＡＦ処理（ｓｔ６）がスタートする。ＡＥ処理では、ＡＥ検出回路５３は、撮像信号の輝度信号を取り込んで積分演算し、この輝度積分値（被写体輝度値）をＣＰＵ２１に送る。ＣＰＵ２１は、プログラム線図７１，７２を読み出し、被写体輝度値に基づいてフラッシュ撮影及びノンフラッシュ撮影に適した露出設定を決定する。なお図９に示す例では、撮影時の被写体輝度値が８ＥＶであり、この時、ノンフラッシュ撮影用のプログラム線図７１からはシャッタスピードがＴＶ５（１／３０Ｓ）、絞り値がＡＶ３（Ｆ２．８）と求められる。さらに、フラッシュ用のプログラム線図７２から露出設定を求める場合には、被写体輝度値（８ＥＶ）が暗すぎるため線図から外れていることから、その付近で一番明るい設定としてシャッタスピードがＴＶ６（１／６０Ｓ）、絞り値がＡＶ３（Ｆ２．８）と求められる。そして、ＣＰＵ２１は、その決定した露出設定となるように絞り駆動機構２９、ＴＧ３６を駆動する（ｓｔ７）。ユーザは、ＬＣＤパネル１５に表示されたスルー画像を確認し（ｓｔ８）、半押し位置から更に深い全押し位置までレリーズボタン１６を押し下げる（ｓｔ９）。
【手続補正９】
【補正対象書類名】明細書
【補正対象項目名】００４３
【補正方法】変更
【補正の内容】
【００４３】
レリーズボタン１６を全押しすると、次の瞬間、先ずプログラム線図７１に基づく露出設定でノンフラッシュ撮影が行われ（ｓｔ１０）、画像データが内部メモリ４３に一時保存される。そして最初のノンフラッシュ撮影が完了すると、次にＣＰＵ２１は、プログラム線図７２に基づく露出設定に切り替えて（ｓｔ１１）、所定の光量でフラッシュ撮影を行うようにストロボ１３による発光を同期させながら、フラッシュ撮影が行われ（ｓｔ１２）、内部メモリ４３に画像データが一時保存される。フラッシュ撮影が完了すると、ＣＰＵ２１は、ノンフラッシュ撮影及びフラッシュ撮影で取得した画像データを内部メモリ４３から読み出し、ＬＣＤパネル１５に表示させた後（ｓｔ１３）、画像データを圧縮伸長処理回路４９で圧縮してデータ容量を小さくしてから、メディアコントローラ５０を介してメモリカード５１に記憶させる（ｓｔ１４）。
【手続補正１０】
【補正対象書類名】明細書
【補正対象項目名】００４７
【補正方法】変更
【補正の内容】
【００４７】
この第３実施形態を適用したデジタルカメラで特殊連続撮影を行うには、図１２のフローチャートに示すように、電源オン（ｓｔ１）から特殊連続撮影モード選択（ｓｔ２）の後、スルー画像が表示される（ｓｔ３）と、ユーザーはＬＣＤパネル１５の表示画像を観察してフレーミングし、レリーズボタン１６を半押しすると（ｓｔ４）、ＡＥ処理（ｓｔ５）及びＡＦ処理（ｓｔ６）がスタートする。ＡＥ処理では、ＡＥ検出回路５３は、撮像信号の輝度信号を取り込んで積分演算し、この輝度積分値（被写体輝度値）をＣＰＵ２１に送る。ＣＰＵ２１は、プログラム線図８１，８２を読み出し、被写体輝度値に基づいてフラッシュ撮影及びノンフラッシュ撮影に適した露出設定を決定する。なお図１１に示す例では、撮影時の被写体輝度値が６ＥＶであり、この時、ノンフラッシュ撮影用のプログラム線図８１からはシャッタスピードがＴＶ５（１／３０Ｓ）、絞り値がＡＶ３（Ｆ２．８）、さらに撮影感度が３ＳＶアップと求められる。さらに、フラッシュ用のプログラム線図８２から露出設定を求める場合には、被写体輝度値（６ＥＶ）が暗すぎるため線図から外れていることから、その付近で一番明るい設定としてシャッタスピードがＴＶ６（１／６０Ｓ）、絞り値がＡＶ３（Ｆ２．８）、撮影感度が１ＳＶアップと求められる。そして、ＣＰＵ２１は、その決定した露出設定となるように絞り駆動機構２９、ＴＧ３６、及びＣＤＳ３７，ＡＭＰ３８を駆動する（ｓｔ７）。ユーザは、ＬＣＤパネル１５に表示されたスルー画像を確認し（ｓｔ８）、半押し位置から更に深い全押し位置までレリーズボタン１６を押し下げる（ｓｔ９）。
【手続補正１１】
【補正対象書類名】明細書
【補正対象項目名】００４８
【補正方法】変更
【補正の内容】
【００４８】
レリーズボタン１６を全押しすると（ｓｔ９）、次の瞬間、先ずプログラム線図８１に基づくシャッタスピード、絞り値、及び撮影感度からなる露出設定でノンフラッシュ撮影が行われ（ｓｔ１０）、画像データが内部メモリ４３に一時保存される。そして最初のノンフラッシュ撮影が完了すると、次にＣＰＵ２１は、プログラム線図８２に基づくシャッタスピード、絞り値、及び撮影感度からなる露出設定に切り替えて（ｓｔ１１）所定の光量でフラッシュ撮影を行うようにストロボ１３による発光を同期させながら、フラッシュ撮影が行われ（ｓｔ１２）、内部メモリ４３に画像データが一時保存される。フラッシュ撮影が完了すると、ＣＰＵ２１は、ノンフラッシュ撮影及びフラッシュ撮影で取得した画像データを内部メモリ４３から読み出し、ＬＣＤパネル１５に表示させた後（ｓｔ１３）、画像データを圧縮伸長処理回路４９で圧縮してデータ容量を小さくしてから、メディアコントローラ５０を介してメモリカード５１に記憶させる（ｓｔ１４）。
【手続補正１２】
【補正対象書類名】明細書
【補正対象項目名】００５１
【補正方法】変更
【補正の内容】
【００５１】
この第４実施形態では、図１３に示すプログラム線図９１がフラッシュメモリ５５に格納されており、特殊連続撮影モード下で、ＡＥ処理を行うとき、ＣＰＵ２１は、プログラム線図９１をそれぞれ読み出し、これらのプログラム線図９１及び被写体輝度値に基づいて、露出設定を決定する。そして、ＣＰＵ２１は、この露出設定でノンフラッシュ撮影及びフラッシュ撮影を行う。これらのプログラム線図９１に示すように、被写体輝度が低いときは、実線の線図９１ａを使用し、被写体輝度が高いときには、点線及び一点鎖線の線図９１ｂ，９１ｃをそれぞれ使用する。なお、線図９１ｂ，９１ｃは、ノンフラッシュ撮影及びフラッシュ撮影用の露出設定であり、撮影感度及び測光感度のダウンに合わせて露出設定を上げるようにしている。なお、この感度の設定としては例えばＩＳＯ感度を使用する。
【手続補正１３】
【補正対象書類名】明細書
【補正対象項目名】００５２
【補正方法】変更
【補正の内容】
【００５２】
この第４実施形態を適用したデジタルカメラで特殊連続撮影を行うには、図１４のフローチャートに示すように、電源オン（ｓｔ１）から特殊連続撮影モード選択（ｓｔ２）の後、スルー画像が表示される（ｓｔ３）と、ユーザーはＬＣＤパネル１５の表示画像を観察してフレーミングし、レリーズボタン１６を半押しすると（ｓｔ４）、ＣＰＵ２１は感度ダウンの判定を行う判定処理が行われる。この感度ダウンの判定を行う判定処理は図１５に示すように、先ずはＩＳＯ感度設定が自動設定もしくは固定値のいずれかが選択されているかを検出する（ｓｔ１０１）。なお、固定値設定となっている場合は、感度ダウンの処理を行わず固定値の感度設定をそのまま使用する。そして、ＬＣＤパネル１５にスルー画像が表示されているか否かを検出し（ｓｔ１０２）、スルー画像が表示されているとき、ＣＰＵ２１は、この表示中の最後のフレームを抜き出してＡＥ検出回路５３に送る（ｓｔ１０３）、なお、スルー画像が表示されていないときは、感度ダウンの処理を行わない。ＡＥ検出回路５３は、抜き出したフレームから輝度信号を取り込んで積分演算し（ｓｔ１０４）、この仮輝度積分値（仮被写体輝度値）をＣＰＵ２１に送る。ＣＰＵ２１はこの仮輝度積分値が所定値を超えるか否かを判定し（ｓｔ１０５）、所定値以上のときには、仮被写体輝度値に応じた感度ダウン値の算出を行う（ｓｔ１０６）。感度ダウン値が所定値を超えるか否かを判定し（ｓｔ１０７）、所定値以上のときには、測光感度及び撮影感度をダウンさせる設定に切り替える（ｓｔ１０８）。あるいは、所定値未満のときは、測光感度及び撮影感度をそのままとし（ｓｔ１０９）、判定処理を終了する。
【手続補正１４】
【補正対象書類名】明細書
【補正対象項目名】００５３
【補正方法】変更
【補正の内容】
【００５３】
感度ダウンの判定処理を終了すると、ＡＥ処理（ｓｔ５）及びＡＦ処理（ｓｔ６）がスタートする。ＡＥ処理では、ＡＥ検出回路５３は、撮像信号の輝度信号を取り込んで積分演算し、この輝度積分値（被写体輝度値）をＣＰＵ２１に送る。なお、上述の感度ダウン判定処理で感度ダウンと決定されたときには、その設定に基づいて撮影感度及び測光感度をダウンさせるように、ＴＧ３６、及びＣＤＳ３７，ＡＭＰ３８を駆動する。ＣＰＵ２１は、線図９１ａの露出設定から線図９１ｂ，９１ｃの露出設定に切り替えて絞り駆動機構２９、ＴＧ３６、及びＣＤＳ３７，ＡＭＰ３８を駆動する（ｓｔ７）。ユーザは、ＬＣＤパネル１５に表示されたスルー画像を確認し（ｓｔ８）、半押し位置から更に深い全押し位置までレリーズボタン１６を押し下げる（ｓｔ９）。
【手続補正１５】
【補正対象書類名】明細書
【補正対象項目名】００５４
【補正方法】変更
【補正の内容】
【００５４】
レリーズボタン１６を全押しすると、次の瞬間、線図９１ａ、または線図９１ｂに基づくシャッタスピード、絞り値、及び撮影感度からなる露出設定でノンフラッシュ撮影が行われ（ｓｔ１０）、画像データが内部メモリ４３に一時保存される。そして最初のノンフラッシュ撮影が完了すると、次にＣＰＵ２１は、線図９１ａの露出設定のまま、あるいは線図９１ｃに基づくシャッタスピード、絞り値、及び撮影感度からなる露出設定に切り替えて所定の光量でフラッシュ撮影を行うようにストロボ１３による発光を同期させながら、フラッシュ撮影が行われ（ｓｔ１１）、内部メモリ４３に画像データが一時保存される。なお、上述の感度ダウン判定処理で感度ダウンが決定されたときは、その設定に基づいてＣＣＤ２５の撮影感度をダウンさせるようにＴＧ３６、及びＣＤＳ３７，ＡＭＰ３８を駆動してノンフラッシュ撮影及びフラッシュ撮影を行う。フラッシュ撮影が完了すると、ＣＰＵ２１は、ノンフラッシュ撮影及びフラッシュ撮影で取得した画像データを内部メモリ４３から読み出し、ＬＣＤパネル１５に表示させた（ｓｔ１２）後、画像データを圧縮伸長処理回路４４で圧縮してデータ容量を小さくしてから、メディアコントローラ５０を介してメモリカード５１に記憶させる（ｓｔ１３）。
【手続補正１６】
【補正対象書類名】明細書
【補正対象項目名】００５５
【補正方法】変更
【補正の内容】
【００５５】
このように、一回のレリーズ動作でノンフラッシュ撮影及びフラッシュ撮影を連続して行い、それらの画像データを取得するとき、ノンフラッシュ撮影及びフラッシュ撮影において、感度ダウンの判定としたときには測光感度及び撮影感度をダウンさせ、それらに応じた露出設定で撮影を行っているので、上記第１及び第２の実施形態の効果に加えて、さらに露出設定が望ましい画像を得ることができる。なお、このように、感度ダウンの設定で測光・露出演算を行ったとき、絞り値が開放絞りでも明るさが不足する演算結果となったときには、感度をアップさせた設定とし、ノンフラッシュ撮影及びフラッシュ撮影を行ってもよい。また、このような場合、ノンフラッシュ撮影及びフラッシュ撮影時とで露出設定が異なるときは、測光感度及び撮影感度もノンフラッシュ撮影及びフラッシュ撮影に合わせてそれぞれ異なる設定で撮影されるようにしてもよい。
【手続補正１７】
【補正対象書類名】明細書
【補正対象項目名】００５６
【補正方法】変更
【補正の内容】
【００５６】
なお、上記第４実施形態においては、露出設定の演算結果に応じてＣＣＤ３５の撮影感度を切り替えて撮影を行っているが本発明はこれに限るものではなく、例えば１枚目は撮影感度を上げて、２枚目はそれよりも撮影感度を下げるというように、撮影順によって撮影感度を切り替えて撮影を行うようにしてもよい。これによって、感度切り替えの判定や、演算などを行う必要がなく、各撮影間のタイムラグを短縮することができる。
【手続補正１８】
【補正対象書類名】明細書
【補正対象項目名】００６５
【補正方法】変更
【補正の内容】
【００６５】
なお、上記実施形態の構成に加えて、フラッシュ発光装置として調光制御機能を有するオートストロボを備えたデジタルカメラとすることもできる。このオートストロボを備えた本発明の第６実施形態を適用したデジタルカメラの構成を図２０のブロック図に示す。なおこの図２０に示すデジタルカメラ１２０としては、上記実施形態と同様の部品を使用しているものについては同符号を付して説明を省略する。このデジタルカメラ１２０に内蔵されたオートストロボ１２１は、ストロボ発光回路１２２、放電管１２３、調光回路１２４、調光用センサ１２５から構成されている。フラッシュ撮影を行う場合は、ＣＰＵ２１からの制御信号によってストロボ発光回路１２２内のメインコンデンサが充電され、レリーズに同期してシンクロ信号が発光回路１２２及び調光回路１２４に入力される。発光回路１２２ではシンクロ信号の入力により、メインコンデンサ内に貯えられた電荷を放電管１２３に流すことで、被写体に向けてストロボ光を照射する。調光回路１２４は、シンクロ信号が入力され、且つＣＣＤ３５による被写体の露光が開始されたときに、調光用センサ１２５から検出された被写体からのストロボ反射光の輝度に応じた輝度信号を受け取り、この輝度信号を時間積分し、この積分値が予め設定された閾値に達したときに停止信号を発光回路１２２に出力する。発光回路１２２は、調光回路１２４からの停止信号を受けると放電管１２３へ流す電流を遮断し、発光を停止する。
【手続補正１９】
【補正対象書類名】明細書
【補正対象項目名】００６８
【補正方法】変更
【補正の内容】
【００６８】
なお、これらに限らず、本撮影（画素数の大きな本画像データを取得するときの撮影）の前に仮撮影を行い、このときに調光制御を行うことによって、本撮影のときに調光制御に掛かる時間を短縮することができる。以下で説明する本発明の第７実施形態では、本撮影の前に調光制御を行う構成について例示する。なお、部品構成などは、上述のデジタルカメラ１２０と同様であり、説明を省略する。このような調光制御を行うデジタルカメラで特殊連続撮影を行うときには、図２１のフローチャートに示すように、電源オン状態（ｓｔ１）としてから、特殊連続撮影モードを選択すると（ｓｔ２）、ＬＣＤパネル１５にスルー画像が表示される（ｓｔ３）。そしてレリーズボタン１６を半押し位置に押し下げると（ｓｔ４）、ノンフラッシュ仮撮影（ｓｔ５）及びフラッシュ仮撮影（ｓｔ６）がスタートする。なお、これらの仮撮影の直前に赤目軽減用の発光を行うようにしてもよい。
【手続補正２０】
【補正対象書類名】明細書
【補正対象項目名】００６９
【補正方法】変更
【補正の内容】
【００６９】
ノンフラッシュ仮撮影（ｓｔ５）では、オートストロボ１２１のフラッシュ発光を行わずにＡＥ処理及びＡＦ処理などを行い、このときの輝度積分値や、コントラストが最も高くなるレンズ２６の位置情報などをＣＰＵ２１に送る。ＣＰＵ２１は、これらの値から後述するノンフラッシュ本撮影用の露出設定を決定する。そして、フラッシュ仮撮影（ｓｔ６）では、オートストロボ１２１で調光制御したフラッシュ発光（プリ発光）を行い、このときの輝度積分値や、コントラストが最も高くなるレンズ２６の位置情報、さらに調光制御したときに調光用センサ１２５で受光した輝度値（被写体からのストロボ反射光）の情報をＣＰＵ２１に送る。ＣＰＵ２１は、これらの値から、後述するフラッシュ本撮影用の露出設定、及びオートストロボ１２１の発光量を演算する（ｓｔ７）。なお、これらの仮撮影を行うときは、本撮影のときよりも少ない画素数で撮影を行い、時間短縮を図るようにしてもよい。
【手続補正２１】
【補正対象書類名】明細書
【補正対象項目名】００７０
【補正方法】変更
【補正の内容】
【００７０】
ユーザーがスルー画像を確認して（ｓｔ８）、レリーズボタン１６を全押し位置に押し下げると（ｓｔ９）、次の瞬間、ＣＰＵ２１は上述した仮撮影（ｓｔ５）のときに決定された露出設定に基づいて絞り、シャッタ速度などを制御してノンフラッシュ本撮影を行う（ｓｔ１０）。続いて、上述の仮撮影（ｓｔ６）の露出設定に基づく絞り、シャッタ速度などに制御されるとともに、発光量演算（ｓｔ７）の結果に基づく発光量でオートストロボ１２１が発光をするようにＣＰＵ２１が制御を行い、この発光に同期させながらフラッシュ本撮影を行う（ｓｔ１１）。そして、ノンフラッシュ本撮影及びフラッシュ本撮影で取得した確認画像を表示（ｓｔ１２）し、これらの画像をメモリカード５１に書き込む（ｓｔ１３）。そして、所定の枚数分の画像データが取得されると特殊連続撮影モード下での撮影が終了する。
【手続補正２２】
【補正対象書類名】図面
【補正対象項目名】図４
【補正方法】変更
【補正の内容】
【図４】
2007256907.tif 000001
【手続補正２３】
【補正対象書類名】図面
【補正対象項目名】図９
【補正方法】変更
【補正の内容】
【図９】
2007256907.tif 000002
【手続補正２４】
【補正対象書類名】図面
【補正対象項目名】図１１
【補正方法】変更
【補正の内容】
【図１１】
2007256907.tif 000003
【手続補正２５】
【補正対象書類名】図面
【補正対象項目名】図１３
【補正方法】変更
【補正の内容】
【図１３】
2007256907.tif 000004